(57)【要約】【課題】端末が無線通信を行う際、無線通信の接続許可及び無線通信で使用する接続情報を容易に設定して無線通信することが可能な無線通信システム及び方法を提供すること。【解決手段】本発明に係る無線通信システム１０は、ネットワーク１５内に端末１４と端末１４を中継する中継装置１１と端末１４を管理する管理端末１３とを備える。端末１４は、管理端末１３が端末１４との第２通信インターフェースＩＦ２を使用した接続を許可した場合、管理端末１３と中継装置１１に対して、第２通信インターフェースＩＦ２を使用して端末１４の端末第１通信部１４１を識別するための端末第１通信部識別情報１４１ｄを送信する端末第２通信部１４２を有する。中継装置１１は、中継装置第１通信部１１１との接続を許可する識別情報として、端末第１通信部識別情報１４１ｄを登録する制御部１１３を有する。【選択図】図１
2019125902.tif 000002
【特許請求の範囲】
【請求項１】
ネットワーク内に端末と前記端末を中継する中継装置と前記端末を管理する管理端末とを備え、
前記端末は、
前記管理端末が前記端末との第２通信インターフェースを使用した接続を許可した場合、前記管理端末と前記中継装置に対して、前期第２通信インターフェースを使用して前記端末の端末第１通信部を識別するための端末第１通信部識別情報を送信する端末第２通信部を有し、
前記中継装置は、
第１通信インターフェースを使用する中継装置第１通信部と、
前記中継装置第１通信部との接続を許可する識別情報として、前記端末第１通信部識別情報を登録する制御部と、
前記識別情報の登録後、前記管理端末を介して前記端末に対して前記第２通信インターフェースを使用して前記中継装置第１通信部と接続するための接続情報を送信する中継装置第２通信部と、を有し、
前記端末第１通信部は、前記接続情報を用いた前記第１通信インターフェースを使用して、前記中継装置第１通信部と接続する、
無線通信システム。
【請求項２】
前記管理端末は、
前記端末から前記第２通信インターフェースを使用して、前記端末第１通信部識別情報と、前記端末を特定するための端末特定情報と、前記端末の前記第２通信インターフェースの使用時間と、を受信する管理端末第２通信部と、
前記端末特定情報が予め登録された端末特定情報と一致する場合、前記端末と前記管理端末との前期第２通信インターフェースを使用した接続を許可する管理部と、を有する、
請求項１に記載の無線通信システム。
【請求項３】
前記管理端末は、前記端末が所定使用時間を経過して前記第２通信インターフェースを使用して接続していない場合、前記端末第１通信部識別情報と前記端末特定情報と前記使用時間とを削除し、前記端末との前記第２通信インターフェースを使用した接続を許可しない、
請求項２に記載の無線通信システム。
【請求項４】
前記中継装置は、前記管理端末が前記第２通信インターフェースを使用した接続を許可しない場合、前記第１通信インターフェースを使用した前記端末第１通信部との接続を切断する、
請求項３に記載の無線通信システム。
【請求項５】
前記中継装置は、前記端末の前記端末第２通信部から前記第２通信インターフェースを使用して受信した前記端末第１通信部識別情報が前記登録された前記端末第１通信部識別情報と一致した場合、前記端末と前記第１通信インターフェースを使用して通信を開始する、
請求項１乃至４のいずれか１つに記載の無線通信システム。
【請求項６】
前記中継装置は、所定時間毎に前記端末と前記第２通信インターフェースを使用した通信を行い、前記第２通信インターフェースを使用した通信の接続が切断された場合、前記管理端末が前記第２通信インターフェースを使用した接続を許可しなかったものと判断し、前記端末第１通信部識別情報を削除する、
請求項１に記載の無線通信システム。
【請求項７】
前記ネットワークは、前記第２通信インターフェースにより構成されたメッシュネットワークである、
請求項１乃至６のいずれか１つに記載の無線通信システム。
【請求項８】
前記第２通信インターフェースの最大通信速度は、前記第１通信インターフェースの最大通信速度よりも遅い、
請求項１乃至７のいずれか１つに記載の無線通信システム。
【請求項９】
前記第１通信インターフェースは、無線ＬＡＮを使用した通信インターフェースであり、
前記第２通信インターフェースは、ブルートゥース（登録商標）を使用した通信インターフェースである、
請求項１乃至８のいずれか１つに記載の無線通信システム。
【請求項１０】
管理端末が端末との第２通信インターフェースを使用した接続を許可した場合、前記端末が、前記管理端末と中継装置に対して、前記第２通信インターフェースを使用して前記端末の端末第１通信部を識別するための端末第１通信部識別情報を送信するステップと、
前記中継装置が、第１通信インターフェースを使用する中継装置第１通信部との接続を許可する識別情報として、前記端末第１通信部識別情報を登録するステップと、
前記中継装置が、前記識別情報の登録後、前記管理端末を介して前記端末に対して前記第２通信インターフェースを使用して前記中継装置第１通信部と接続するための接続情報を送信するステップと、
前記端末第１通信部が、前記接続情報を用いた前記第１通信インターフェースを使用して、前記中継装置第１通信部と接続するステップと、
を備える方法。
【発明の詳細な説明】
【技術分野】
【０００１】
本発明は、無線通信システム及び方法に関するものであり、特に、端末が無線通信を行う際、無線通信の接続許可及び無線通信で使用する接続情報を容易に設定して無線通信することが可能な無線通信システム及び方法を提供することを目的とする。
に関する。
【背景技術】
【０００２】
近年、スマートフォンやノートパソコン等の携帯端末の普及に伴い、無線ＬＡＮ(Local Area Network)ルータ等を使用して、他人の携帯端末に対して無線ＬＡＮの接続を許可する機会が増加している。例えば、家の招待客や、店の顧客に無線接続を提供する場合が挙げられる。無線通信を行うための無線通信手段（無線通信インターフェース）の規格には、ＩＥＥＥ  ８０２．１１ａｃやブルートゥース（登録商標）等の複数の規格がある。一般的には、大容量の通信の際に無線中継装置等を利用する場合が多いため、通信速度が速いＩＥＥＥ  ８０２．１１ａｃ等の規格を利用することが多い。ＩＥＥＥ  ８０２．１１ａｃ等の規格は、スマートフォンでは子機としての機能のみ提供している場合が多いが、ブルートゥース（登録商標）５．０等の規格は、親機と子機の機能を提供している場合が多い。他人の携帯端末に対して、無線中継装置等の無線ＬＡＮの接続を許可する場合、無線ＬＡＮのＳＳＩＤ(Service Set Identifier)と暗号化キー等の接続情報を開示する。しかしながら、無線ＬＡＮのＳＳＩＤと暗号化キーとを無制限に開示した場合、携帯端末（子機）と接続する無線中継装置の接続設定（接続情報）を変更しない限り、数多くの子機の接続が可能となり、接続可能な子機を管理者が管理することは難しい。
【０００３】
接続を許可する子機のＭＡＣ(Media Access Control)アドレスを無線中継装置に設定することで、特定の子機にだけ無線接続を許可し、子機を管理する方法がある。しかしながら、この方法は、子機を許可又は不許可とする設定を管理者が行う必要があり容易ではない。また、複数の無線中継装置に対して複数の子機の許可又は不許可の設定を行う場合、それぞれの子機の許可又は不許可の設定を行う必要があり、数が多い分だけ管理者の負担が増加しそれと共にヒューマンエラーが増加するので容易ではない。
【０００４】
特許文献１には、無線ＬＡＮ中継装置から、無線ＬＡＮ中継装置に接続するために用いることができる複数の接続情報を取得する情報取得部と、複数の接続情報の中から、具備する無線ＬＡＮ通信機能を実行するために用いることができる第１の接続情報を選択する情報選択部と、選択した第１の接続情報を設定して無線ＬＡＮ中継装置と無線ＬＡＮ通信する通信部と、を備える通信端末が開示されている。しかしながら、特許文献１には、通信端末が無線通信を行う際、第１の接続情報が設定される通信端末を、どのように限定するかは開示されていない。よって、特許文献１では、通信端末の限定を管理者が行う必要があり容易ではないという問題があった。
【先行技術文献】
【特許文献】
【０００５】
【特許文献１】特開２０１５−２１６５８３号公報
【発明の概要】
【発明が解決しようとする課題】
【０００６】
上記のように、端末が無線通信を行う際、無線通信の接続の許可又は不許可を容易に設定することが難しいという問題があった。また、端末が無線通信で使用する接続情報を容易に設定することが難しいという問題があった。
【０００７】
本開示の目的は、上述した課題のいずれかを解決する無線通信システム及び方法を提供することにある。
【課題を解決するための手段】
【０００８】
本開示に係る無線通信システムは、
ネットワーク内に端末と前記端末を中継する中継装置と前記端末を管理する管理端末とを備え、
前記端末は、
前記管理端末が前記端末との第２通信インターフェースを使用した接続を許可した場合、前記管理端末と前記中継装置に対して、前期第２通信インターフェースを使用して前記端末の端末第１通信部を識別するための端末第１通信部識別情報を送信する端末第２通信部を有し、
前記中継装置は、
第１通信インターフェースを使用する中継装置第１通信部と、
前記中継装置第１通信部との接続を許可する識別情報として、前記端末第１通信部識別情報を登録する制御部と、
前記識別情報の登録後、前記管理端末を介して前記端末に対して前記第２通信インターフェースを使用して前記中継装置第１通信部と接続するための接続情報を送信する中継装置第２通信部と、を有し、
前記端末第１通信部は、前記接続情報を用いた前記第１通信インターフェースを使用して、前記中継装置第１通信部と接続する。
【０００９】
本開示に係る方法は、
管理端末が端末との第２通信インターフェースを使用した接続を許可した場合、前記端末が、前記管理端末と中継装置に対して、前記第２通信インターフェースを使用して前記端末の端末第１通信部を識別するための端末第１通信部識別情報を送信するステップと、
前記中継装置が、第１通信インターフェースを使用する中継装置第１通信部との接続を許可する識別情報として、前記端末第１通信部識別情報を登録するステップと、
前記中継装置が、前記識別情報の登録後、前記管理端末を介して前記端末に対して前記第２通信インターフェースを使用して前記中継装置第１通信部と接続するための接続情報を送信するステップと、
前記端末第１通信部が、前記接続情報を用いた前記第１通信インターフェースを使用して、前記中継装置第１通信部と接続するステップと、
を備える。
【発明の効果】
【００１０】
本発明によれば、端末が無線通信を行う際、無線通信の接続許可及び無線通信で使用する接続情報を容易に設定して無線通信することが可能な無線通信システム及び方法を提供することができる。
【図面の簡単な説明】
【００１１】
【図１】実施の形態１に係る無線通信システムを例示するブロック図である。
【図２】実施の形態１に係る無線通信システムの動作を例示するシーケンス図である。
【図３】実施の形態１に係る無線通信システムの動作を例示するシーケンス図である。
【図４】実施の形態１に係る無線通信システムの動作を例示するシーケンス図である。
【図５】実施の形態２に係る無線通信システムを例示するブロック図である。
【図６】実施の形態２に係る無線通信システムの動作を例示するシーケンス図である。
【図７】実施の形態２に係る無線通信システムの動作を例示するシーケンス図である。
【図８】実施の形態３に係る無線通信システムの動作を例示するシーケンス図である。
【図９】実施の形態３に係る無線通信システムの動作を例示するシーケンス図である。
【発明を実施するための形態】
【００１２】
以下、図面を参照して本発明の実施の形態について説明する。各図面において、同一又は対応する要素には同一の符号が付されており、説明の明確化のため、必要に応じて重複説明を省略する。
【００１３】
［実施の形態１］
実施の形態１に係る無線通信システムの概要を説明する。
図１は、実施の形態１に係る無線通信システムを例示するブロック図である。
【００１４】
図１に示すように、実施の形態１に係る無線通信システム１０は、ネットワーク１５内に端末１４と端末１４を中継する中継装置１１と端末１４を管理する管理端末１３とを備える。管理端末１３は、端末１４に加えて中継装置１１や中継装置１２を管理してもよい。中継装置を無線中継機器と称することもある。
【００１５】
中継装置１１と端末１４との間は、直接的に第１通信インターフェースＩＦ１で接続される。また、中継装置１１と端末１４との間は、間接的にネットワーク１５でも接続される。ネットワーク１５は、第２通信インターフェースＩＦ２により構成（形成）されたメッシュネットワークである。
【００１６】
メッシュネットワークとは、ネットワーク内の端末同士が直接接続していなくても相互に通信できるネットワークのことである。メッシュネットワークは、例えば、ブルートゥース（登録商標）で構成される。
【００１７】
第１通信インターフェースＩＦ１は、通信速度が速く消費電力が大きい通信規格を使用した通信であり、例えば、ＩＥＥＥ  ８０２．１１ａｃ規格の無線ＬＡＮ等を使用した通信インターフェースである。第２通信インターフェースＩＦ２は、通信速度が遅く消費電力が小さい通信規格を使用した通信であり、例えば、ブルートゥース（登録商標）等を使用した通信インターフェースである。第２通信インターフェースＩＦ２の最大通信速度は、第１通信インターフェースＩＦ１の最大通信速度よりも遅い。
【００１８】
端末１４は、端末第１通信部１４１と端末第２通信部１４２とを有する。端末第１通信部１４１は、第１通信インターフェースＩＦ１を使用し、子機の機能を有する。端末第２通信部１４２は、第２通信インターフェースＩＦ２を使用し、親機と子機の機能を有する。
【００１９】
端末１４の端末第２通信部１４２は、管理端末１３が端末１４との第２通信インターフェースＩＦ２を使用した接続を許可した場合、管理端末１３と中継装置１１に対して第２通信インターフェースＩＦ２を使用して端末第１通信部識別情報１４１ｄを送信する。端末第１通信部識別情報１４１ｄとは、端末１４の端末第１通信部１４１を識別するための情報である。
【００２０】
中継装置１１は、中継装置第１通信部１１１と中継装置第２通信部１１２と制御部１１３とを有する。中継装置第１通信部１１１は、第１通信インターフェースＩＦ１を使用し、親機の機能を有する。中継装置第２通信部１１２は、第２通信インターフェースＩＦ２を使用し、親機と子機の機能を有する。制御部を制御プログラムと称することもある。
【００２１】
制御部１１３は、中継装置第１通信部１１１と中継装置第２通信部１１２の接続と通信制御を行う。具体的には、制御部１１３は、中継装置第１通信部１１１との接続を許可する識別情報として、端末１４から受信した端末第１通信部識別情報１４１ｄを登録する。
【００２２】
中継装置第２通信部１１２は、端末第１通信部識別情報１４１ｄを識別情報として登録後、端末１４に対して第２通信インターフェースＩＦ２を使用して接続情報ＩＦ１ｄを送信する。接続情報ＩＦ１ｄとは、中継装置第１通信部１１１と接続するための情報である。接続情報ＩＦ１ｄは、端末１４に対して、管理端末１３を介して送信される。
【００２３】
端末１４の端末第１通信部１４１は、接続情報ＩＦ１ｄを用いた第１通信インターフェースＩＦ１を使用して、中継装置第１通信部１１１と接続する。
【００２４】
具体的には、中継装置第１通信部１１１は、端末１４の端末第２通信部１４２から第２通信インターフェースＩＦ２を使用して端末第１通信部識別情報１４１ｄを受信する。中継装置第１通信部１１１は、端末第１通信部識別情報１４１ｄが、予め登録された端末第１通信部識別情報と一致した場合、端末１４と第１通信インターフェースＩＦ１を使用して通信を開始する。
【００２５】
中継装置１２は、中継装置１１と同様な構成と機能とを有する。中継装置１２は、中継装置第１通信部１２１と中継装置第２通信部１２２と制御部１２３とを有する。中継装置第１通信部１２１は、第１通信インターフェースＩＦ１を使用し、親機の機能を有する。中継装置第２通信部１２２は、第２通信インターフェースＩＦ２を使用し、親機と子機の機能を有する。制御部１２３は、中継装置第１通信部１２１と中継装置第２通信部１２２の接続と通信制御を行う。
【００２６】
管理端末１３は、管理端末第１通信部１３１と管理端末第２通信部１３２と管理部１３３とを有する。管理部を管理アプリケーションと称することもある。
【００２７】
管理端末第１通信部１３１は、第１通信インターフェースＩＦ１を使用し、子機の機能を有する。管理端末第２通信部１３２は、第２通信インターフェースＩＦ２を使用し、親機と子機の機能を有する。管理部１３３は、管理端末第２通信部１３２で接続する端末１４の管理を行う。管理部１３３は、管理端末第１通信部１３１で接続する端末１４の管理も行ってよい。
【００２８】
管理端末第２通信部１３２は、端末１４から第２通信インターフェースＩＦ２を使用して、端末第１通信部識別情報１４１ｄと、端末１４を特定するための端末特定情報１４ｄと端末１４の第２通信インターフェースＩＦ２の使用時間１４ｔと、を受信する。
【００２９】
管理部１３３は、端末特定情報１４ｄが予め登録された端末特定情報と一致する場合、端末１４と管理端末１３との第２通信インターフェースＩＦ２を使用した接続を許可する。
【００３０】
また、管理端末１３は、端末１４から第２通信インターフェースＩＦ２を使用して端末１４と管理端末１３との接続を要求する接続要求を受信した場合、端末１４と管理端末１３との第２通信インターフェースＩＦ２を使用した接続を許可するか否かを判断する。
【００３１】
実施の形態１に係る無線通信システムの動作を説明する。
図２は、実施の形態１に係る無線通信システムの動作を例示するシーケンス図である。
図２は、端末１４が第１通信インターフェースＩＦ１を使用して中継装置１１と接続を確立するまでを示す。
【００３２】
この例では、中継装置１１と中継装置１２と管理端末１３は、既に第２通信インターフェースＩＦ２を使用してメッシュネットワークを構成しているものとする。
【００３３】
図２に示すように、端末１４は、ＱＲコード（登録商標）から管理端末第２通信部１３２の情報を取得し、管理端末１３の管理端末第２通信部１３２に対して、端末第２通信部１４２から接続要求を行う。端末１４は、接続要求を行う際、端末特定情報１４ｄを送信する。
【００３４】
端末特定情報１４ｄは、端末１４を特定する情報であり、端末１４の現在の位置情報を含む情報である。端末特定情報１４ｄは、例えば、端末１４のユーザがホテルにいる場合、そのホテルの部屋番号等である。
【００３５】
管理端末１３の管理端末第２通信部１３２は、端末１４から第２通信インターフェースＩＦ２を使用して、端末特定情報１４ｄを受信する。管理端末１３の管理部１３３は、端末特定情報１４ｄが、予め登録された端末特定情報と一致する場合、端末１４と管理端末１３との第２通信インターフェースＩＦ２を使用した接続を許可する。管理端末１３が端末１４との接続を許可することで、管理端末１３と端末１４との接続が確立される。
【００３６】
尚、このとき、管理端末１３の管理端末第２通信部１３２は、端末特定情報１４ｄに加えて、端末第１通信部識別情報１４１ｄと使用時間１４ｔとを受信してもよい。端末第１通信部識別情報１４１ｄとは、端末１４の端末第１通信部１４１を識別するための情報である。端末１４の使用時間１４ｔとは、端末１４が第２通信インターフェースＩＦ２を使用した時間である。
【００３７】
管理端末１３と端末１４との第２通信インターフェースＩＦ２を使用した接続が確立されたことで、端末１４は、第２通信インターフェースＩＦ２で管理端末１３との接続が完了する。これにより、端末１４は、中継装置１１と中継装置１２と管理端末１３とで構成（形成）されるメッシュネットワークへ参加することができる。端末１４は、中継装置１１と中継装置１２とは直接の接続はしていないが、メッシュネットワークを使用して相互通信が可能となる。
【００３８】
端末１４は、中継装置１１と中継装置１２と管理端末１３とに対して端末第１通信部１４１を識別するための端末第１通信部識別情報１４１ｄを、第２通信インターフェースＩＦ２を使用してブロードキャスト（送信）する。
【００３９】
端末第１通信部識別情報１４１ｄは、例えば、端末１４の端末第１通信部１４１のＭＡＣ(Media Access Control)アドレスを含む情報である。
【００４０】
管理端末１３の管理部１３３は、受信した端末第１通信部１４１のＭＡＣアドレス（端末第１通信部識別情報１４１ｄ）と端末特定情報１４ｄと使用時間１４ｔとを端末情報１４ｍとして記憶する。端末特定情報１４ｄは、第２通信インターフェースＩＦ２を使用した接続要求が行われた際、端末１４から送信された情報である。
【００４１】
中継装置１１の制御部１１３は、中継装置第１通信部１１１との接続を許可するＭＡＣアドレスとして、受信した端末第１通信部１４１のＭＡＣアドレスを登録する。
【００４２】
端末第１通信部１４１のＭＡＣアドレスの登録後、中継装置１１の中継装置第２通信部１１２は、中継装置第１通信部１１１との第１通信インターフェースＩＦ１を使用した接続に必要な接続情報ＩＦ１ｄを、端末１４に対して送信する。すなわち、中継装置第２通信部１１２は、接続情報ＩＦ１ｄをメッシュネットワーク（第２通信インターフェースＩＦ２）を使用して送信する。接続情報ＩＦ１ｄは、例えば、ＳＳＩＤ(Service Set Identifier)及び暗号化キーの少なくともいずれかを含む情報である。
【００４３】
中継装置１２の制御部１２３は、中継装置第１通信部１２１との接続を許可するＭＡＣアドレスとして、受信した端末第１通信部１４１のＭＡＣアドレスを登録する。
【００４４】
端末１４は、中継装置第１通信部１１１との接続に必要な接続情報ＩＦ１ｄを使用し、中継装置１１の中継装置第１通信部１１１に対して接続要求を行う。端末１４は、接続要求の際、端末第１通信部１４１のＭＡＣアドレス（端末第１通信部識別情報１４１ｄ）を共に送信する。
【００４５】
中継装置１１の制御部１１３は、端末第１通信部１４１のＭＡＣアドレスに対して第１通信インターフェースＩＦ１による接続を許可していることを確認する。すなわち、制御部１１３は、中継装置第１通信部１１１との接続を許可するＭＡＣアドレスとして、端末第１通信部１４１のＭＡＣアドレスが登録されていることを確認する。
【００４６】
制御部１１３は、受信した端末第１通信部１４１のＭＡＣアドレスが、接続を許可するものとして登録されたＭＡＣアドレスと一致した場合、端末１４との接続を許可する。
【００４７】
端末１４は、第１通信インターフェースＩＦ１を使用して、中継装置１１との接続が完了する。
【００４８】
これ以降、端末１４は、管理端末１３と第２通信インターフェースＩＦ２を使用して接続していない場合でも、中継装置１１と第１通信インターフェースＩＦ１を使用して接続可能となる。
【００４９】
図３は、実施の形態１に係る無線通信システムの動作を例示するシーケンス図である。
図３は、管理端末１３によって、端末１４と中継装置１１との第１通信インターフェースＩＦ１を使用した接続が接続不可となるまでを示す。
【００５０】
この例では、端末１４と中継装置１１とは、既に第１通信インターフェースＩＦ１を使用して接続が完了しているものとする。
【００５１】
図３に示すように、管理端末１３の管理部１３３は、端末１４が所定使用時間１４ｔｈを経過して第２通信インターフェースＩＦ２を使用して接続していない場合、端末１４の端末情報１４ｍを削除する。端末情報１４ｍは、登録された端末第１通信部識別情報１４１ｄと端末特定情報１４ｄと使用時間１４ｔとを含む。
【００５２】
管理端末１３は、端末１４との第２通信インターフェースＩＦ２を使用した接続を許可しない。すなわち、端末１４の端末情報１４ｍを削除したことで、管理端末１３の管理部１３３は、管理端末第２通信部１３２の端末第２通信部１４２との接続許可を削除する。
【００５３】
これにより、端末１４は、管理端末１３との第２通信インターフェースＩＦ２を使用した接続が不可となる。
【００５４】
管理端末１３の管理部１３３は、端末第１通信部１４１のＭＡＣアドレスを含む端末情報１４ｍが削除されたことを、中継装置１１と中継装置１２とに第２通信インターフェースＩＦ２を使用してブロードキャストする。そして、管理端末１３の管理部１３３は、端末第１通信部１４１のＭＡＣアドレスを含む端末情報１４ｍを削除するように通知する。
【００５５】
中継装置１１の制御部１１３は、管理端末１３が第２通信インターフェースＩＦ２を使用した接続を許可しない場合、登録された端末第１通信部識別情報１４１ｄを削除する。すなわち、中継装置１１の制御部１１３は、中継装置第１通信部１１１との接続を許可するＭＡＣアドレスから、受信した端末第１通信部１４１のＭＡＣアドレスを削除する。
【００５６】
中継装置１２の制御部１２３は、中継装置第１通信部１２１との接続を許可するＭＡＣアドレスから、受信した端末第１通信部１４１のＭＡＣアドレスを削除する。
【００５７】
中継装置１１は、端末１４が接続されている場合、端末第１通信部１４１が中継装置第１通信部１１１との接続を許可するＭＡＣアドレスでは無くなったので、第１通信インターフェースＩＦ１を使用した端末第１通信部１４１との接続を切断する。
【００５８】
これにより、端末１４は、中継装置１１との第１通信インターフェースＩＦ１を使用した接続が不可となる。
【００５９】
図４は、実施の形態１に係る無線通信システムの動作を例示するシーケンス図である。
図４は、端末１４が使用終了後、接続不可とする制御をしなかった場合を示す。
【００６０】
この例では、端末１４と中継装置１１とは、既に第１通信インターフェースＩＦ１を使用して接続が完了しているものとする。
【００６１】
図４に示すように、管理端末１３の管理部１３３は、端末情報１４ｍの使用時間１４ｔと所定使用時間１４ｔｈとを比較する。管理端末１３の管理部１３３は、端末１４が所定使用時間１４ｔｈを経過して管理端末１３と第２通信インターフェースＩＦ２を使用して接続しているか否かを確認する。
【００６２】
管理端末１３の管理部１３３は、端末１４と所定使用時間１４ｔｈを経過して第２通信インターフェースＩＦ２を使用して接続していない場合、端末１４の端末情報１４ｍを削除する。
【００６３】
端末１４の端末情報１４ｍを削除したことに伴い、管理端末１３の管理部１３３は、管理端末第２通信部１３２と端末第２通信部１４２との接続許可を削除する。
【００６４】
管理端末１３の管理部１３３は、端末第１通信部１４１のＭＡＣアドレスを含む端末情報１４ｍが削除されたことを、中継装置１１と中継装置１２と第２通信インターフェースＩＦ２を使用してブロードキャストする。また、管理端末１３の管理部１３３は、端末第１通信部１４１のＭＡＣアドレスを含む端末情報１４ｍを削除するように通知する。
【００６５】
中継装置１１の制御部１１３は、中継装置第１通信部１１１との接続を許可するＭＡＣアドレスから、受信した端末第１通信部１４１のＭＡＣアドレスを削除する。
【００６６】
中継装置１２の制御部１２３は、中継装置第１通信部１２１との接続を許可するＭＡＣアドレスから、受信した端末第１通信部１４１のＭＡＣアドレスを削除する。
【００６７】
これにより、端末１４は、中継装置１１との第１通信インターフェースＩＦ１を使用した接続が不可となる。
【００６８】
実施の形態１に係る無線通信システム１０おいては、端末１４が管理端末１３と第２通信インターフェースＩＦ２を使用して接続することで、中継装置１１と相互通信が可能となり、中継装置１２と相互通信が可能となる。そして、端末１４から第２通信インターフェースＩＦ２を使用して受信する端末第１通信部１４１のＭＡＣアドレスを、中継装置１１の制御部１１３が、中継装置第１通信部１１１との接続を許可するＭＡＣアドレスとして設定する。これにより、管理者が中継装置第１通信部１１１との接続を許可するＭＡＣアドレスを、中継装置１１に設定する必要が無い。中継装置１２についても中継装置１１と同様に、管理者が中継装置第１通信部１２１との接続を許可するＭＡＣアドレスを、中継装置１２に設定する必要が無い。
【００６９】
これにより、管理者が中継装置１１と中継装置１２のそれぞれに対して、接続を許可する（端末の）ＭＡＣアドレスを設定する必要が無い。
【００７０】
また、実施の形態１に係る無線通信システム１０おいては、管理端末１３の管理部１３３が、意図的、若しくは使用時間によって、端末１４の端末情報１４ｍを削除する。中継装置１１の制御部１１３が、端末情報１４ｍを削除したことの通知を取得し、中継装置第１通信部１１１との接続を許可するＭＡＣアドレスから端末第１通信部１４１のＭＡＣアドレスを削除する。中継装置１２についても中継装置１１と同様である。
【００７１】
これにより、管理者が中継装置１１と中継装置１２のそれぞれに対して、接続を許可するＭＡＣアドレスから、（端末の）ＭＡＣアドレスを削除する必要が無い。
【００７２】
その結果、端末が無線通信を行う際、無線通信の接続許可及び無線通信で使用する接続情報を容易に設定して無線通信することが可能な無線通信システム及び方法を提供することができる。
【００７３】
また、実施の形態１に係る無線通信システム１０においては、端末１４の代わりに中継装置を新たに追加する場合も、管理端末１３が端末１４を追加したのと同様にして、中継装置を追加することができる。また、管理端末１３の機能を既存の中継装置１１や中継装置１２に持たせてもよい。このようにすることで、中継装置を新たに追加する場合、中継装置１１、中継装置１２及び管理端末１３のいずれかに接続することで、中継装置を容易に追加することができる。
【００７４】
また、管理端末１３を中継する中継端末を使用することで、管理端末１３の第２通信インターフェースＩＦ２の検出範囲外であっても、中継装置を容易に追加することができる。
【００７５】
また、中継端末と管理端末１３と端末１４とは、第１通信インターフェースＩＦ１の親機としての機能を備える必要が無いので、低コスト化を実現できる。
【００７６】
また、中継装置１１と中継装置１２と管理端末１３と端末１４との通信は、第２通信インターフェースＩＦ２で形成されるメッシュネットワークというローカルなネットワーク内で行われる。このため、グローバルアドレスを使用する場合と比べて、中継装置１１と中継装置１２と管理端末１３と端末１４とを容易に設置することができる。
【００７７】
ここで、本開示の特徴を記載する。
実施の形態１に係る無線通信システム１０は、中継装置１１と中継装置１２と端末１４（子機端末）と管理端末１３とを、例えば、ブルートゥース（登録商標）を使用したメッシュネットワーク（ネットワーク１５）で形成する。中継装置１１、中継装置１２又は管理端末１３は、メッシュネットワークに新たに接続した端末に対してのみ、無線ＬＡＮ（第１通信インターフェースＩＦ１）への接続を許可する。これにより、中継装置と無線ＬＡＮに接続した端末とを容易に管理することができる。
【００７８】
実施の形態１に係る無線通信システム１０は、メッシュネットワークの形成に第２通信インターフェースＩＦ２を使用する。これにより、子機の機能を有しない管理端末第１通信部１３１を有する管理端末１３を、ネットワークの中間に配置することができる。管理端末１３は、子機の機能を有しないので、低コストが実現できる。
【００７９】
管理端末１３は、端末１４のメッシュネットワークへの接続を切断することができる。端末１４のメッシュネットワークへの接続が切断された場合、中継装置１１は、端末１４からの中継装置第１通信部１１１との接続許可を削除することで、管理端末１３から中継装置１１へ接続する端末を管理することができる。中継装置１２も同様である。これにより、中継装置や端末を容易に管理することができる。
【００８０】
管理端末１３の管理部１３３から端末１４の端末情報１４ｍを削除することで、管理端末１３と端末１４の第２通信インターフェースＩＦ２を使用した接続は解除される。
管理端末１３の管理部１３３は、メッシュネットワーク内の中継装置１１と中継装置１２に対して、管理端末１３に記憶された端末第１通信部１４１のＭＡＣアドレスを、無線ＬＡＮの接続を許可するＭＡＣアドレスから外すようにブロードキャストする。無線ＬＡＮは、実施の形態１においては、例えば、第１通信インターフェースＩＦ１である。これにより、端末１４は、中継装置１１と中継装置１２と接続不可となる。中継装置や端末を容易に管理することができる。
【００８１】
実施の形態１に係る無線通信システム１０は、新たに中継装置を追加する場合、中継装置１１、中継装置１２又は管理端末１３のいずれかに対して第２通信インターフェースＩＦ２を使用した接続をすることで、管理端末１３により中継装置の管理が可能となる。このとき、新たに追加する中継装置は、管理端末１３に直接接続する必要はない。新たに追加する中継装置と管理端末１３との間に、これらを中継するための端末を配置することで、管理端末１３の第２通信インターフェースＩＦ２が直接には届かない距離に配置された中継装置を管理することができる。
【００８２】
尚、実施の形態１において、メッシュネットワークを構成する第２通信インターフェースとして、通信速度が遅く消費電力が小さいブルートゥース（登録商標）を例に挙げたが、これには限定されない。また、第１通信インターフェースとして、通信速度が速く消費電力が大きい、ＩＥＥＥ  ８０２．１１ａｃ規格等の無線ＬＡＮを例に挙げたが、これには限定されない。
【００８３】
［実施の形態２］
実施の形態２に係る無線通信システム２０は、実施の形態１に係る無線通信システム１０と比べて、管理端末２３と端末２４とが第２通信インターフェースＩＦ２を使用して接続しない点が異なる。また、中継装置１１と端末２４とが第２通信インターフェースＩＦ２を使用して接続する点が異なる。
【００８４】
実施の形態２に係る無線通信システムの構成を説明する。
図５は、実施の形態２に係る無線通信システムを例示するブロック図である。
【００８５】
図５に示すように、中継装置１１と中継装置１２と管理端末１３とは、第２通信インターフェースＩＦ２を使用したメッシュネットワークを形成している。すなわち、中継装置第２通信部１１２と中継装置第２通信部１２２と管理端末第２通信部１３２とは、第２通信インターフェースＩＦ２を使用したメッシュネットワークを形成している。
【００８６】
端末１４は、中継装置１１と第２通信インターフェースＩＦ２を使用してメッシュネットワークに接続することで、中継装置１１との第１通信インターフェースＩＦ１を使用した接続の許可を得る。
【００８７】
実施の形態２に係る無線通信システムの動作を説明する。
図６は、実施の形態２に係る無線通信システムの動作を例示するシーケンス図である。
図６は、端末１４が第１通信インターフェースＩＦ１を使用して中継装置１１と接続を確立するまでを示す。
【００８８】
この例では、中継装置１１と中継装置１２と管理端末１３は、既に第２通信インターフェースＩＦ２を使用してメッシュネットワークを構成しているものとする。
【００８９】
図６に示すように、端末１４は、ＱＲコード（登録商標）から中継装置第２通信部１１２の情報を取得し、中継装置１１の中継装置第２通信部１１２に対して、端末第２通信部１４２から接続要求を行う。
【００９０】
中継装置１１が端末１４との接続を許可することで、中継装置１１と端末１４との接続が確立される。
【００９１】
中継装置１１と端末１４との接続が確立されたことで、端末１４は、第２通信インターフェースＩＦ２で中継装置１１との接続が完了する。これにより、端末１４は、中継装置１１と中継装置１２と管理端末１３とで構成（形成）されるメッシュネットワークへ参加することができる。端末１４は、中継装置１２と管理端末１３とは、直接の接続はしていないが、メッシュネットワークを使用して相互通信が可能となる。
【００９２】
端末１４は、中継装置１１と中継装置１２と管理端末１３とに対して、端末１４の端末第１通信部１４１のＭＡＣアドレスを、第２通信インターフェースＩＦ２を使用してブロードキャスト（送信）する。
【００９３】
管理端末１３の管理部１３３は、受信した端末第１通信部１４１のＭＡＣアドレスと端末特定情報１４ｄと使用時間１４ｔとを端末情報１４ｍとして記憶する。
【００９４】
中継装置１１の制御部１１３は、中継装置第１通信部１１１との接続を許可するＭＡＣアドレスとして、受信した端末第１通信部１４１のＭＡＣアドレスを登録する。
【００９５】
端末第１通信部１４１のＭＡＣアドレスの登録後、中継装置１１の中継装置第２通信部１１２は、中継装置第１通信部１１１との接続に必要な接続情報ＩＦ１ｄを、端末１４に対して第２通信インターフェースＩＦ２を使用して送信する。
【００９６】
中継装置１２の制御部１２３は、中継装置第１通信部１２１との接続を許可するＭＡＣアドレスとして、受信した端末第１通信部１４１のＭＡＣアドレスを登録する。
【００９７】
端末１４は、中継装置第１通信部１１１との接続に必要な接続情報ＩＦ１ｄを使用し、中継装置１１の中継装置第１通信部１１１に対して接続要求を行う。端末１４は、接続要求の際、端末第１通信部１４１のＭＡＣアドレスを共に送信する。
【００９８】
中継装置１１の制御部１１３は、端末第１通信部１４１のＭＡＣアドレスに対して第１通信インターフェースＩＦ１による接続を許可していることを確認する。すなわち、制御部１１３は、中継装置第１通信部１１１との接続を許可するＭＡＣアドレスとして、端末第１通信部１４１のＭＡＣアドレスが登録されていることを確認する。
【００９９】
制御部１１３は、受信した端末第１通信部１４１のＭＡＣアドレスが、接続を許可するものとして登録されたＭＡＣアドレスと一致した場合、端末１４との接続を許可する。
【０１００】
端末１４は、第１通信インターフェースＩＦ１を使用して、中継装置１１との接続を完了する。
【０１０１】
これ以降、端末１４は、中継装置１１と第１通信インターフェースＩＦ１を使用して接続可能となる。
【０１０２】
図７は、実施の形態２に係る無線通信システムの動作を例示するシーケンス図である。
図７は、管理端末１３によって、端末１４と中継装置１１との第１通信インターフェースＩＦ１を使用した接続が接続不可となるまでを示す。
【０１０３】
この例では、端末１４と中継装置１１とは、既に第１通信インターフェースＩＦ１を使用して接続が完了しているものとする。
【０１０４】
図７に示すように、管理端末１３の管理部１３３は、端末１４の端末情報１４ｍを削除する。
【０１０５】
管理端末１３の管理部１３３は、第２通信インターフェースＩＦ２を使用して、端末第２通信部１４２との接続許可を削除するように中継装置１１と中継装置１２とに送信する。
【０１０６】
中継装置１１の制御部１１３は、中継装置第２通信部１１２と端末第２通信部１４２との接続許可を削除する。
【０１０７】
これにより、端末１４は、中継装置１１との第２通信インターフェースＩＦ２を使用した接続が不可となる。
【０１０８】
管理端末１３の管理部１３３は、端末第１通信部１４１のＭＡＣアドレスを含む端末情報１４ｍが削除されたことを、中継装置１１と中継装置１２とに第２通信インターフェースＩＦ２を使用してブロードキャストする。また、管理端末１３の管理部１３３は、端末第１通信部１４１のＭＡＣアドレスを含む端末情報１４ｍを削除するように通知する。
【０１０９】
中継装置１１の制御部１１３は、中継装置第１通信部１１１との接続を許可するＭＡＣアドレスから、受信した端末第１通信部１４１のＭＡＣアドレスを削除する。
【０１１０】
中継装置１２の制御部１２３は、中継装置第１通信部１２１との接続を許可するＭＡＣアドレスから、受信した端末第１通信部１４１のＭＡＣアドレスを削除する。
【０１１１】
中継装置１１は、端末１４が接続されている場合、端末第１通信部１４１が中継装置第１通信部１１１との接続を許可するＭＡＣアドレスでは無くなったので、端末１４との第１通信インターフェースＩＦ１を使用した接続を切断する。
【０１１２】
これにより、端末１４は、中継装置１１との第１通信インターフェースＩＦ１を使用した接続が不可となる。
【０１１３】
このように、実施の形態２に係る無線通信システム２０においては、管理端末１３の代わりに中継装置１１を使用することで、端末の接続許可と接続情報とを容易に設定することができる。
【０１１４】
その結果、実施の形態２においても、実施の形態１と同様に、端末が無線通信を行う際、無線通信の接続許可及び無線通信で使用する接続情報を容易に設定して無線通信することが可能な無線通信システム及び方法を提供することができる。
【０１１５】
［実施の形態３］
実施の形態１に係る無線通信システム１０においては、管理端末１３の管理部１３３は、端末情報１４ｍを制御する。一方、実施の形態３に係る無線通信システム３０においては、管理端末１３の管理部１３３は、接続の許可と切断を制御するだけであり、端末情報１４ｍを取り扱わない。
【０１１６】
尚、無線通信システム３０の構成は、無線通信システム１０の構成と同様である。
【０１１７】
実施の形態３に係る無線通信システム３０においては、端末１４が管理端末１３と第２通信インターフェースＩＦ２を使用して接続している間だけ、端末１４と中継装置１１とが第１通信インターフェースＩＦ１を使用して接続可能となる。
【０１１８】
実施の形態３に係る無線通信システムの動作を説明する。
図８は、実施の形態３に係る無線通信システムの動作を例示するシーケンス図である。
図８は、端末１４が第１通信インターフェースＩＦ１を使用して中継装置１１と接続を確立するまでを示す。
【０１１９】
この例では、中継装置１１と中継装置１２と管理端末１３は、既に第２通信インターフェースＩＦ２を使用してメッシュネットワークを構成しているものとする。
【０１２０】
図８に示すように、端末１４は、ＱＲコード（登録商標）から管理端末第２通信部１３２の情報を取得し、管理端末１３の管理端末第２通信部１３２に対して、端末第２通信部１４２から接続要求を行う。
【０１２１】
管理端末１３が端末１４との接続を許可することで、管理端末１３と端末１４との接続が確立される。
【０１２２】
管理端末１３と端末１４との接続が確立されたことで、端末１４は、第２通信インターフェースＩＦ２で管理端末１３との接続が完了する。これにより、端末１４は、中継装置１１と中継装置１２と管理端末１３とで構成（形成）されるメッシュネットワークへ参加することができる。端末１４は、中継装置１２と管理端末１３とは、直接の接続はしていないが、メッシュネットワークを使用して相互通信が可能となる。
【０１２３】
端末１４は、中継装置１１と中継装置１２と管理端末１３とに対して端末第１通信部１４１のＭＡＣアドレスを、第２通信インターフェースＩＦ２を使用してブロードキャスト（送信）する。
【０１２４】
中継装置１１の制御部１１３は、中継装置第１通信部１１１との接続を許可するＭＡＣアドレスとして、受信した端末第１通信部１４１のＭＡＣアドレスを登録する。
【０１２５】
端末第１通信部１４１のＭＡＣアドレスの登録後、中継装置１１の中継装置第２通信部１１２は、中継装置第１通信部１１１との接続に必要な接続情報ＩＦ１ｄを、端末１４に対して第２通信インターフェースＩＦ２を使用して送信する。
【０１２６】
中継装置１２の制御部１２３は、中継装置第１通信部１２１との接続を許可するＭＡＣアドレスとして、受信した端末第１通信部１４１のＭＡＣアドレスを登録する。
【０１２７】
端末１４は、中継装置第１通信部１１１との接続に必要な接続情報ＩＦ１ｄを使用し、中継装置１１の中継装置第１通信部１１１に対して接続要求を行う。端末１４は、接続要求の際、端末第１通信部１４１のＭＡＣアドレスを共に送信する。
【０１２８】
中継装置１１の制御部１１３は、端末第１通信部１４１のＭＡＣアドレスに対して第１通信インターフェースＩＦ１による接続を許可していることを確認する。すなわち、制御部１１３は、中継装置第１通信部１１１との接続を許可するＭＡＣアドレスとして、端末第１通信部１４１のＭＡＣアドレスが登録されていることを確認する。
【０１２９】
制御部１１３は、受信した端末第１通信部１４１のＭＡＣアドレスが、接続を許可するものとして登録されたＭＡＣアドレスと一致した場合、端末１４との接続を許可する。
【０１３０】
端末１４は、第１通信インターフェースＩＦ１を使用して、中継装置１１との接続を完了する。
【０１３１】
中継装置１１は、所定時間毎に端末１４と第２通信インターフェースＩＦ２を使用した通信を行い、端末１４がメッシュネットワーク内に存在することを確認する。所定時間毎とは、例えば、定期的な一定の時間毎としてもよい。
【０１３２】
中継装置１２は、所定時間毎に端末１４に対して第２通信インターフェースＩＦ２経由で通信を行い、端末１４がメッシュネットワーク内に存在することを確認する。
【０１３３】
図９は、実施の形態３に係る無線通信システムの動作を例示するシーケンス図である。
図９は、端末１４と管理端末１３との第２通信インターフェースＩＦ２の接続許可を解除することによって、端末１４と中継装置１１との第１通信インターフェースＩＦ１を使用した接続が接続不可となるまでを示す。
【０１３４】
この例では、端末１４と中継装置１１とは、既に第１通信インターフェースＩＦ１を使用して接続が完了しているものとする。
【０１３５】
図９に示すように、管理端末１３の管理部１３３は、管理端末第２通信部１３２と端末第２通信部１４２との接続許可を解除する。
【０１３６】
これにより、端末１４は、管理端末１３との第２通信インターフェースＩＦ２を使用した接続は不可となる。
【０１３７】
中継装置１１は、所定時間毎に、端末１４に対する第２通信インターフェースＩＦ２を使用した通信の接続が切断されたかを確認する。すなわち、中継装置１１は、所定時間毎に、端末１４が管理端末１３から切断されたかを確認する。
【０１３８】
中継装置１１は、第２通信インターフェースＩＦ２を使用した通信の接続が切断された場合、管理端末１３が第２通信インターフェースＩＦ２を使用した接続を許可しなかったものと判断する。
【０１３９】
中継装置１２は、所定時間毎に、端末１４に対する第２通信インターフェースＩＦ２を使用した通信の接続が切断されたかを確認する。
【０１４０】
中継装置１１の制御部１１３は、管理端末１３が接続を許可しなかったと判断した場合、中継装置第１通信部１１１との接続を許可するＭＡＣアドレスから端末第１通信部１４１のＭＡＣアドレス（端末第１通信部識別情報１４１ｄ）を削除する。
【０１４１】
中継装置１２の制御部１２３は、中継装置第１通信部１２１との接続を許可するＭＡＣアドレスから端末第１通信部１４１のＭＡＣアドレスを削除する。
【０１４２】
中継装置１１は、端末１４が接続している場合、端末第１通信部１４１のＭＡＣアドレスは、中継装置第１通信部１１１との接続を許可するＭＡＣアドレスでは無くなったので、端末１４との第２通信インターフェースＩＦ２の接続を切断する。
【０１４３】
これにより、端末１４は、中継装置１１との第１通信インターフェースＩＦ１の接続が不可となる。
【０１４４】
このように、実施の形態３においても、実施の形態１と同様に、端末が無線通信を行う際、無線通信の接続許可及び無線通信で使用する接続情報を容易に設定して無線通信することが可能な無線通信システム及び方法を提供することができる。
【０１４５】
尚、上記の実施の形態では、本発明をハードウェアの構成として説明したが、本発明はこれに限定されるものではない。本発明は、各構成要素の処理を、ＣＰＵ（Central Processing Unit）にコンピュータプログラムを実行させることにより実現することも可能である。
【０１４６】
上記の実施の形態において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実態のある記録媒体(trangible storage medium)を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programable ROM）、ＥＰＲＯＭ(Erasable PROM)）、フラッシュＲＯＭ、ＲＡＭ(Random Access Memory)を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【０１４７】
また、上記の実施形態の一部又は全部は、以下の付記のようにも記載されうるが、以下には限られない。
【０１４８】
（付記１）
ネットワーク内に端末と前記端末を中継する中継装置と前記端末を管理する管理端末とを備え、
前記端末は、
前記管理端末が前記端末との第２通信インターフェースを使用した接続を許可した場合、前記管理端末と前記中継装置に対して、前期第２通信インターフェースを使用して前記端末の端末第１通信部を識別するための端末第１通信部識別情報を送信する端末第２通信部を有し、
前記中継装置は、
第１通信インターフェースを使用する中継装置第１通信部と、
前記中継装置第１通信部との接続を許可する識別情報として、前記端末第１通信部識別情報を登録する制御部と、
前記識別情報の登録後、前記管理端末を介して前記端末に対して前記第２通信インターフェースを使用して前記中継装置第１通信部と接続するための接続情報を送信する中継装置第２通信部と、を有し、
前記端末第１通信部は、前記接続情報を用いた前記第１通信インターフェースを使用して、前記中継装置第１通信部と接続する、
無線通信システム。
（付記２）
前記管理端末は、
前記端末から前記第２通信インターフェースを使用して、前記端末第１通信部識別情報と、前記端末を特定するための端末特定情報と、前記端末の前記第２通信インターフェースの使用時間と、を受信する管理端末第２通信部と、
前記端末特定情報が予め登録された端末特定情報と一致する場合、前記端末と前記管理端末との前期第２通信インターフェースを使用した接続を許可する管理部と、を有する、
付記１に記載の無線通信システム。
（付記３）
前記管理端末は、前記端末が所定使用時間を経過して前記第２通信インターフェースを使用して接続していない場合、前記端末第１通信部識別情報と前記端末特定情報と前記使用時間とを削除し、前記端末との前記第２通信インターフェースを使用した接続を許可しない、
付記２に記載の無線通信システム。
（付記４）
前記中継装置は、前記管理端末が前記第２通信インターフェースを使用した接続を許可しない場合、前記第１通信インターフェースを使用した前記端末第１通信部との接続を切断する、
付記３に記載の無線通信システム。
（付記５）
前記中継装置は、前記端末の前記端末第２通信部から前記第２通信インターフェースを使用して受信した前記端末第１通信部識別情報が前記登録された前記端末第１通信部識別情報と一致した場合、前記端末と前記第１通信インターフェースを使用して通信を開始する、
付記１乃至４のいずれか１つに記載の無線通信システム。
（付記６）
前記管理端末は、前記端末から、前記第２通信インターフェースを使用して前記端末と前記管理端末との接続を要求する接続要求を受信した場合、前記端末と前記管理端末との前記第２通信インターフェースを使用した接続を許可するか否かを判断する、
付記１乃至５のいずれか１つに記載の無線通信システム。
（付記７）
前記中継装置は、所定時間毎に前記端末と前記第２通信インターフェースを使用した通信を行い、前記第２通信インターフェースを使用した通信の接続が切断された場合、前記管理端末が前記第２通信インターフェースを使用した接続を許可しなかったものと判断し、前記端末第１通信部識別情報を削除する、
付記１に記載の無線通信システム。
（付記８）
前記ネットワークは、前記第２通信インターフェースにより構成されたメッシュネットワークである、
付記１乃至７のいずれか１つに記載の無線通信システム。
（付記９）
前記メッシュネットワークは、ブルートゥース（登録商標）で構成される、
付記８に記載の無線通信システム。
（付記１０）
前記第２通信インターフェースの最大通信速度は、前記第１通信インターフェースの最大通信速度よりも遅い、
付記１乃至９のいずれか１つに記載の無線通信システム。
（付記１１）
前記第１通信インターフェースは、無線ＬＡＮを使用した通信インターフェースであり、
前記第２通信インターフェースは、ブルートゥース（登録商標）を使用した通信インターフェースである、
付記１乃至１０のいずれか１つに記載の無線通信システム。
（付記１２）
前記端末第１通信部識別情報は、前記端末第１通信部のＭＡＣ(Media Access Control)アドレスを含む、
付記１乃至１１のいずれか１つに記載の無線通信システム。
（付記１３）
前記接続情報は、ＳＳＩＤ(Service Set Identifier)及び暗号化キーの少なくともいずれかを含む、
付記１乃至１２のいずれか１つに記載の無線通信システム。
（付記１４）
前記端末特定情報は、前記端末を特定する情報であり、前記端末の現在の位置情報を含む、
付記２に記載の無線通信システム。
（付記１５）
管理端末が端末との第２通信インターフェースを使用した接続を許可した場合、前記端末が、前記管理端末と中継装置に対して、前記第２通信インターフェースを使用して前記端末の端末第１通信部を識別するための端末第１通信部識別情報を送信するステップと、
前記中継装置が、第１通信インターフェースを使用する中継装置第１通信部との接続を許可する識別情報として、前記端末第１通信部識別情報を登録するステップと、
前記中継装置が、前記識別情報の登録後、前記管理端末を介して前記端末に対して前記第２通信インターフェースを使用して前記中継装置第１通信部と接続するための接続情報を送信するステップと、
前記端末第１通信部が、前記接続情報を用いた前記第１通信インターフェースを使用して、前記中継装置第１通信部と接続するステップと、
を備える方法。
【符号の説明】
【０１４９】
１０、２０、３０…無線通信システム
１１…中継装置
１１１…中継装置第１通信部
１１２…中継装置第２通信部
１１３…制御部
１２…中継装置
１２１…中継装置第１通信部
１２２…中継装置第２通信部
１２３…制御部
１３…管理端末
１３１…管理端末第１通信部
１３２…管理端末第２通信部
１３３…管理部
１４…端末
１４ｍ…端末情報
１４ｄ…端末特定情報
１４ｔ…使用時間
１４ｔｈ…所定使用時間
１４１…端末第１通信部
１４１ｄ…端末第１通信部識別情報
１４２…端末第２通信部
１５…ネットワーク
ＩＦ１…第１通信インターフェース
ＩＦ１ｄ…接続情報
ＩＦ２…第２通信インターフェース
【図１】
2019125902.tif 000003
【図２】
2019125902.tif 000004
【図３】
2019125902.tif 000005
【図４】
2019125902.tif 000006
【図５】
2019125902.tif 000007
【図６】
2019125902.tif 000008
【図７】
2019125902.tif 000009
【図８】
2019125902.tif 000010
【図９】
2019125902.tif 000011